(57)【要約】      （修正有）【課題】割箸本体に楊枝が取り付けられているので、楊枝を紛失する恐れがないし、楊枝を使用する場合、直ぐに取り外して使用することが可能となる。【解決手段】割箸本体１の手元端面１Ａより長手方向へ穴２を開けておき、その穴２へ楊枝３を着脱自在に差し込んでおく。楊枝３を差し込む深さは、その頭部が指で摘める程度外部へ出ている深さとしておく。【選択図】図１
0003138959.tif 000002
【実用新案登録請求の範囲】
【請求項１】
手元端面より長手方向へ穴が開けられた割箸本体と、
指で摘める程度に頭部を出した状態で該穴へ着脱自在に差し込まれた楊枝と
を具えたことを特徴とする箸。
【請求項２】
側面に手元より長手方向へ溝が設けられた割箸本体と、
指で摘める程度に頭部を手元端面より出した状態で、該溝へ着脱自在に嵌め込まれた楊枝と
を具えたことを特徴とする箸。
【請求項３】
第１の箸本体と第２の箸本体とより成る箸において、
第２の箸本体は、手に持つ側の端部である頭部と、該頭部以外の部分である主部とから構成され、
前記頭部は、その前記主部に対向する面に植設された楊枝を具え、
前記主部は、前記頭部に対向する主部端面より主部側面に抜けるよう開けられ、且つ前記楊枝を着脱自在に挿入し得る太さおよび長さを有する穴を具え、
前記楊枝を前記穴に挿入することにより前記頭部と前記主部とを合体して第２の箸本体とするようにされている
ことを特徴とする箸。
【請求項４】
第１の箸本体と第２の箸本体とより成る箸において、
第２の箸本体は、手に持つ側の端部である頭部と、該頭部以外の部分である主部とから構成され、
前記頭部は、その前記主部に対向する側に嵌合凸部を設けると共に、該嵌合凸部の前記主部に対向する面に植設された楊枝を具え、
前記主部は、前記頭部に対向する主部端面に前記嵌合凸部と嵌まり合う大きさの嵌合凹部を設けると共に、該嵌合凹部の底面より主部側面に抜けるよう開けられ、且つ前記楊枝を着脱自在に挿入し得る太さおよび長さを有する穴を具え、
前記楊枝を前記穴に挿入し、前記嵌合凸部を前記嵌合凹部に嵌合することにより前記頭部と前記主部とを合体して第２の箸本体とするようにされている
ことを特徴とする箸。
【考案の詳細な説明】
【技術分野】
【０００１】
本考案は、楊枝が付けられた箸に関するものである。
【背景技術】
【０００２】
日本では、食事をした後に楊枝を使用する人が多い。歯の隙間が開いて来たり、歯茎が細ってきたりしている年配者には特に多い。
そのため、割箸の場合、その袋には、通常、割箸の他に楊枝が入れられている。また、町の食堂やレストランのテーブルには、割箸立てや割箸箱等の容器に入れて割箸が出されると共に、それらの容器とは別の容器に入れられて楊枝が出されている。
また、家庭で食事をする場合には、割箸でなく通常の箸を使うのが殆どであるが、楊枝は町の食堂等と同様、楊枝用容器に入れられて箸とは別に出されている。
【考案の開示】
【考案が解決しようとする課題】
【０００３】
従来の割箸は、清潔に保つため、通常、袋に入れられているが、その袋には２種類ある。第１の袋は、封をされてない袋である。この袋では、割箸の手元部分は袋の外にはみ出たままであり、それより先端方向にある部分のみが袋の中に入れられている。このような袋では、袋の内面と割箸との間に出来る隙間が楊枝にとっては大きいので、楊枝を入れておいても、傾けると容易に袋から落下してしまう。そのため、楊枝は入れられていない。
従って、このような袋に入れられた割箸で食事をした場合には、食後に楊枝を使いたくても使えないという不便があった。
【０００４】
第２の袋は、封をしてある袋である。この袋では、通常、割箸と共に楊枝が入れられている。封がしてあるので、外に落下してしまう恐れがないからである。
しかし、封を切って割箸を取り出す際、うっかり楊枝を床に落として汚してしまう場合がしばしばあった。例えば、割箸を袋から引き出すときに割箸に接触して一緒に出されてしまうとか、割箸を出した後、袋の口を何かの拍子に水平より下方に向けたために滑り出てしまうとかすることがあった。楊枝は小さくて目立たないので、楊枝が一緒に入っているとは気が付かずに、袋の口を下方に向けてしまうこともある。
従って、このような袋に入れられていた場合でも、楊枝を落としてしまい、食後に楊枝を使いたくても使えないという不便があった。
【０００５】
更に、最近では資源を節約して環境に配慮しようという観点や、衛生面や趣味の面から、自分専用の箸（いわゆる「マイ箸」）を持ち歩いて使用することが、静かなブームとなっている。
これは通常の箸であるから、楊枝など勿論付いていない。従って、マイ箸だけ持ち歩いていたのでは、やはり食後に楊枝を使いたくても使えないという不便があった。楊枝を使いたければ、楊枝をそれ専用の容器に入れ、別途持ち歩く必要があった。
本考案は、以上のような問題点を解決することを課題とするものである。
【課題を解決するための手段】
【０００６】
前記課題を解決するため、本考案の箸では、その構造を次のようなものとした。まず、割箸については、手元端面より長手方向へ穴が開けられた割箸本体と、指で摘める程度に頭部を出した状態で該穴へ着脱自在に差し込まれた楊枝とを具える構造とした。
また、側面に手元より長手方向へ溝が設けられた割箸本体と、指で摘める程度に頭部を手元端面より出した状態で、該溝へ着脱自在に嵌め込まれた楊枝とを具える構造としてもよい。
【０００７】
２本の箸本体から成る通常の箸については、次のような構造とした。即ち、第１の箸本体と第２の箸本体とより成る箸において、第２の箸本体は、手に持つ側の端部である頭部と、該頭部以外の部分である主部とから構成され、前記頭部は、その前記主部に対向する面に植設された楊枝を具え、前記主部は、前記頭部に対向する主部端面より主部側面に抜けるよう開けられ、且つ前記楊枝を着脱自在に挿入し得る太さおよび長さを有する穴を具え、前記楊枝を前記穴に挿入することにより前記頭部と前記主部とを合体して第２の箸本体とするようにされている構造とした。
【０００８】
また、通常の箸については、次のような構造としてもよい。第１の箸本体と第２の箸本体とより成る箸において、第２の箸本体は、手に持つ側の端部である頭部と、該頭部以外の部分である主部とから構成され、前記頭部は、その前記主部に対向する側に嵌合凸部を設けると共に、該嵌合凸部の前記主部に対向する面に植設された楊枝を具え、前記主部は、前記頭部に対向する主部端面に前記嵌合凸部と嵌まり合う大きさの嵌合凹部を設けると共に、該嵌合凹部の底面より主部側面に抜けるよう開けられ、且つ前記楊枝を着脱自在に挿入し得る太さおよび長さを有する穴を具え、前記楊枝を前記穴に挿入し、前記嵌合凸部を前記嵌合凹部に嵌合することにより前記頭部と前記主部とを合体して第２の箸本体とするようにされている構造とする。
【考案の効果】
【０００９】
本考案の箸によれば、次のような効果を奏する。
１．割箸本体に楊枝が取り付けられているので、楊枝を紛失する恐れがないし、楊枝を使用する場合、直ぐに取り外して使用することが可能となる。
２．通常の箸の箸本体を頭部と主部とに分割し、頭部においては主部と対向する面に楊枝を植設し、主部においては頭部と対向する面より長手方向に、該楊枝が差し込める貫通穴を設けているので、楊枝が箸に格納されている形となり、食事の際にはいつでも楊枝を取り出して使用することが出来る。
【考案を実施するための最良の形態】
【００１０】
以下、本考案の実施形態を図面に基づいて詳細に説明する。
（第１の実施形態）
図１は、本考案に係わる箸の第１の実施形態を示す図である。図１において、１は割箸本体、１Ａは手元端面、２は穴、２Ａは手元開口、３は楊枝である。図１の（１）は楊枝３が割箸本体１に付けられた状態を示す図であり、（２）は楊枝３が外された状態を示す図である。
【００１１】
図示された割箸本体１の左方が、使用する場合に手に持つ部分、即ち手元部分であり、細くなっている右方の部分が食べ物をつかむ先端部分である。手元端面１Ａは、割箸本体１の手元側の端面であるが、本考案の割箸では、この面から割箸本体１の長手方向に向かって、楊枝３の太さと略同じ太さの穴２が開けられている。手元開口２Ａは、その穴２の手元端面１Ａにおける開口である。穴２は楊枝３を差し込んでおくための穴であり、その長さ（深さ）は楊枝３の長さより少し短いものとし、楊枝３の頭部を指で摘める程度だけ外へ残し、他の部分は中へ差し込めるような長さとする。
【００１２】
楊枝３を割箸本体１の穴２に差し込むことにより、本考案の箸が完成される。このようにした箸では、楊枝３は頭部を指で摘んで必要に応じて取り出すことが出来、また元へ戻しておくことも出来る。即ち、楊枝３は割箸本体１と着脱自在に一体化された形になっている。
食事をする際、割箸は２つに割られるが、楊枝３は一方の割箸本体１の手元部分に差し込まれた状態を保っている。楊枝３は、頭部は外に出ているものの、その大部分は略同じ太さの穴２に差し込まれているので、割箸本体１を使用して食事をしていても脱落することはない。
食事を終えて楊枝３を使用したい場合には、楊枝３の頭部を指で摘んで引抜き、使用することが出来る。楊枝３は、割箸が製造された時から穴２に差し込まれたままであるから、途中で汚れたりすることもなく清潔である。
【００１３】
そして、割箸が封をする袋に入れられようが、封をしない袋に入れられようが、楊枝３は割箸本体１と一体にされているから、割箸本体１を入れさえすれば自動的に楊枝３も一緒に入れられることになる（従来は、封をしない袋に入れる場合、楊枝は落下して紛失してしまうので、一緒に入れられることはなかった）。また、封をする袋に入れてあった場合、封を切って割箸本体１を取り出す際、楊枝３も同時にくっついて出て来るから、楊枝３だけ床に落としてしまう等ということはなくなる。
このように、楊枝が常に割箸本体と一体となって着脱自在に付いているから、割箸を袋から取り出す際とか食事中に楊枝を落としてしまうことがなく、必要な時に随時楊枝を使うことが可能となる。
【００１４】
（第２の実施形態）
図２は、本考案に係わる箸の第２の実施形態を示す図である。符号は図１のものに対応し、１Ｂは割箸側面、４は溝である。図２の（１）は楊枝３が割箸本体１に付けられた状態を示す図であり、（２）は楊枝３が外された状態を示す図である。
溝４は、割箸本体１の側面である割箸側面１Ｂの手元部分に設けられた溝である。溝４の幅および深さは楊枝３の太さと略同じとされ、その長さは楊枝３の長さより少し短いものとし、楊枝３の頭部を指で摘める程度だけ外へ残し、他の部分は嵌め込めるような長さとする。
【００１５】
楊枝３を割箸本体１の溝４に嵌め込むことにより、本考案の割箸は完成される。このようにした箸では、楊枝３は頭部を指で摘んで必要に応じて取り外すことが出来、また元へ戻しておくことも出来る。即ち、楊枝３は割箸本体１と着脱自在に一体化された形になっている。
食事をする際、割箸本体１は２つに割られるが、楊枝３は一方の割箸本体１の手元部分に嵌め込まれた状態を保っている。楊枝３は、頭部は外に出ているものの、その大部分は略同じ太さの溝４に嵌め込まれているので、割箸本体１を使用して食事をしていても脱落することはない。
食事を終えて楊枝３を使用したい場合には、楊枝３の頭部を指で摘んで溝４より外し、使用することが出来る。楊枝３は、割箸が製造された時から溝４に嵌め込まれたままであるから、途中で汚れたりすることもなく清潔である。
【００１６】
そして、割箸が封をする袋に入れられようが、封をしない袋に入れられようが、楊枝３は割箸本体１と一体にされているから、割箸本体１を入れさえすれば自動的に楊枝３も一緒に入れられることになる。また、封をする袋に入れてあった場合、封を切って割箸本体１を取り出す際、楊枝３も同時にくっついて出て来るから、楊枝３だけ床に落としてしまう等ということもなくなる。
このように、楊枝が常に割箸本体と一体となって着脱自在に付いているから、割箸を袋から取り出す際とか食事中に楊枝を落としてしまうことがなく、必要な時に随時楊枝を使うことが可能となる。
【００１７】
（第３の実施形態）
図３は、本考案に係わる箸の第３の実施形態を示す図である。符号は図１のものに対応し、２Ｂは先端開口、５は箸本体、５１は頭部、５２は主部、５２Ａは主部端面である。図３の（１）は楊枝３が箸本体５に格納されている状態を示す図であり、（２）は楊枝３が外へ出されている状態を示す図であり、（３）は主部５２内に開けられた穴を分かり易く示す図（主部５２を９０度回転させて穴２を横から見た図）である。
この箸本体５は割箸ではない通常の箸の本体であり、２本で一個の箸を構成している。２本のうち、一方の箸本体５（図３（１）で上側のもの。第１の箸本体）は従来のものと同じであるが、他方の箸本体５（図３（１）で下側のもの。第２の箸本体）の方に特別の構造が施されている。
【００１８】
即ち、図３（２）に示すように、下側の箸本体５は頭部５１と主部５２とに分けられ、頭部５１には主部５２と向きあう面に楊枝３が植設されている。一方、主部５２の方には、頭部５１と向き合う面、即ち主部端面５２Ａから主部５２の長手方向に向かって、穴２が開けられている。手元開口２Ａは、主部端面５２Ａにおける穴２の開口である。
この穴２は、主部５２の側面に抜ける貫通穴とされる。例えば、直進した先端部で直角以上の鈍角で曲げられ、主部５２の側面に抜けるように開けられる。図３（３）は主部５２を直角に回転させ、手元付近を拡大して描いた図であるが、穴２は真っ直ぐに進んだ後、先端より直角以上の鈍角で曲げられて主部５２の側面に抜け出る。主部５２の側面での出口が、先端開口２Ｂである。
【００１９】
第３の実施形態では第１の実施形態とは違い、穴２を両端に開口があるような穴にしたのは、次のような理由からである。即ち、第３の実施形態の箸は、使い捨ての割箸ではなく、繰り返し使う愛用の箸となるべき箸であるので、清潔さを保つため穴２も洗えるようなものでなければならない。そこで、洗浄時に穴２を水が通流し得るようにするため、両端に開口を有する穴とされている。穴２の曲がり角度を上記の如く鈍角とすれば、水が流れ易くなり、洗浄効果が良くなる。
【００２０】
さて、頭部５１と主部５２とを合体して１本の箸本体５にするには、頭部５１に植設された楊枝３を、主部５２の穴２に差し込む。そして、頭部５１の側面が主部５２の側面よりはみ出すことなく、滑らかに連続した面となるよう頭部５１の向きを手で回して調節する。
このようにして合体された箸本体５を、他の１本の箸本体５と共に箸として使用すると、長さも太さも同じであるので、何ら違和感なく使用することが出来る。そして、食後等で楊枝３を使用したい場合には、頭部５１を手で摘んで主部５２より引き抜けば、楊枝３を使用することが出来る。
【００２１】
ところで、第３の実施形態の箸は、使い捨てにはしないマイ箸として用いられる箸であるので、使用する人の好みにも応え得るよう、その材質には種々のものを使用することが考えられる。例えば、箸本体５や楊枝３の材料として、木の他に、金属，プラスチック，象牙等を用いることも出来る。
【００２２】
（第４の実施形態）
図４は、本考案に係わる箸の第４の実施形態を示す図である（頭部と主部とに分けられている方の箸本体５のみを、一部拡大して示す）。符号は図３のものに対応し、５１Ａは嵌合凸部、５２Ｂは嵌合凹部である。
これは、第３の実施形態の変形とでもいうものである。第３の実施形態では、頭部５１と主部５２とを連結しているのは細い楊枝３だけであるので、もし楊枝３が木やプラスチック製であった場合、何かの拍子に横から力が加えられたりすると、折れてしまう恐れがある。また、使っているうちに楊枝３と穴２との挿入具合が緩くなり、頭部５１が楊枝３を中心としてくるくると回転し易くなるという恐れもある。回転すると、頭部５１と主部５２の側面同士が、滑らかな１つの面として続いてくれなくなる。
【００２３】
そこで第４の実施形態では、頭部５１と主部５２との結合を一層強固なものにしたものである。それと共に、頭部５１が主部５２に対して楊枝３を中心として回転するのを防止し、それぞれの側面が格別の調節をしなくとも、自ずと滑らかな１つの面として続いてくれるようにしたものである。
図４に示す如く、頭部５１の主部５２に対向する面に、角状の嵌合凸部５１Ａを設ける。嵌合凸部５１Ａの大きさは、頭部５１の大きさより一回り小さな大きさとする。そして、それの主部５２と対向する面に楊枝３を植設する。
【００２４】
一方、主部５２の主部端面５２Ａには、嵌合凸部５１Ａが丁度嵌まり込む大きさの嵌合凹部５２Ｂを設ける。そして、嵌合凹部５２Ｂの底面より穴２を開ける。該底面における穴２の位置は、嵌合凸部５１Ａにおいて楊枝３が植設されている位置に対応した位置とする。
このような頭部５１の楊枝３を穴２に差し込み、根元のところまで来たところで嵌合凸部５１Ａを嵌合凹部５２Ｂに嵌め込む。これで両者は合体され箸本体５となる。この時、頭部５１と主部５２とを結合している手段は、嵌合凸部５１Ａ，嵌合凹部５２Ｂ，楊枝３，穴２であるが、嵌合凸部５１Ａと嵌合凹部５２Ｂとの結合は楊枝３と穴２との結合に比べて格段に強固である。従って、頭部５１に横から力が加わっても結合が破壊されたり、楊枝３が折れたりすることはない。
【００２５】
また、嵌合凸部５１Ａや嵌合凹部５２Ｂは、角がない円筒状のものとすることも出来るが、その場合、結合力は楊枝のみの場合に比べて格段に強いものの、頭部５１が主部５２に対してくるくる回転することの防止は望めない。回転し易いと、頭部５１の側面と主部５２の側面とが、滑らかな１つの面として続いてくれなくなり易い。
嵌合凸部５１Ａや嵌合凹部５２Ｂを図４に示す如く角のある形状としておけば、嵌めたあと頭部５１が主部５２に対して回転するようなことはないから、頭部５１の側面と主部５２の側面とは、滑らかな１つの面として続いてくれることになる。
【００２６】
即ち、嵌合凸部５１Ａや嵌合凹部５２Ｂを角状のものとしておくと、角が合うような姿勢にして嵌めなければならないから、嵌め合わせる際の位置決め作用をしてくれる。この位置決め作用により両者の側面は合わされ、いつも側面が滑らかに連続するような姿勢で合体される。
そのため、第３の実施形態でやっていたような、手回し調節（頭部５１の側面が主部５２の側面よりはみ出すことなく、滑らかに連続するよう頭部５１の向きを手で回して行う調節）をいちいちする必要がなくなる。
【図面の簡単な説明】
【００２７】
【図１】本考案に係わる箸の第１の実施形態を示す図
【図２】本考案に係わる箸の第２の実施形態を示す図
【図３】本考案に係わる箸の第３の実施形態を示す図
【図４】本考案に係わる箸の第４の実施形態を示す図
【符号の説明】
【００２８】
１…割箸本体、１Ａ…手元端面、１Ｂ…割箸側面、２…穴、２Ａ…手元開口、２Ｂ…先端開口、３…楊枝、４…溝、５…箸本体、５１…頭部、５１Ａ…嵌合凸部、５２…主部、５２Ａ…主部端面、５２Ｂ…嵌合凹部
【図１】
0003138959.tif 000003
【図２】
0003138959.tif 000004
【図３】
0003138959.tif 000005
【図４】
0003138959.tif 000006